【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
中央軸線を有するベースに対してカバーを選択的に係止するためのカバー保持機構であって、
前記カバー保持機構は、
前記ベースに連結されるとともにストッパ部材を具備した受部を有するベースロックと、
弾力的に柔軟なロック部材を有し、前記カバーに連結されたカバーロックとを備え、
前記ロック部材は、第１の端部および第２の端部を有し、
前記ロック部材の前記第１の端部は、前記ロック部材の前記第２の端部に対して手動で移動可能であり、
前記ロック部材の前記第１の端部は、前記カバーが前記ベースに連結されて前記カバーが前記ベースに対して閉鎖位置に配置されたときに、前記ベースロックの前記受部内に配置されるラッチを有し、
前記カバーは、前記カバーが閉鎖位置にあるときには、前記カバーの前記ベースに対する前記中央軸線に沿った移動によっては前記ベースから取り外すことができず、
前記カバーは、前記閉鎖位置から前記カバーを前記ベースから取り外すことができる開放位置へ、前記カバーを前記ベースに対して前記中央軸線の回りで回転させるとともに前記カバーを前記ベース部に対して前記中央軸線に沿って動かすことにより、選択的に移動させることができ、
前記ロック部材の前記ラッチが前記受部の内側に位置しているときに、前記ラッチは、前記ベースロックの前記ストッパ部材に係合し、前記カバーが前記ベース部に対して前記中央軸線の回りに前記閉鎖位置から前記開放位置へ回転することを防止し、
前記ラッチを前記ベースロックの前記受部から手動で取り外すと、前記カバーは、前記ベースに対して前記中央軸線の回りで前記閉鎖位置から前記開放位置へ回転することができることを特徴とするカバー保持機構。
【請求項２】
前記ベースロックは、前記カバーが前記開放位置にあるときに前記カバーロックの前記ラッチを受け入れる受容部を有していることを特徴とする請求項１に記載のカバー保持機構。
【請求項３】
前記ベースは、外側表面を有する枠を含み、
前記受容部は、前記枠の前記外側表面に開口する凹所を含み、
前記カバーロックの前記ラッチは、前記カバーを前記ベースから取り外すときに前記カバーを前記ベースに対して前記中央軸線に沿って移動させることにより、前記枠の前記外側表面にある前記開口を通過するようになっていることを特徴とする請求項２に記載のカバー保持機構。
【請求項４】
前記ベースロックの前記受容部は、内側に配置された第１の端部から外側に配置された第２の端部に延びる傾斜部を有し、
前記カバーロックの前記ラッチは、前記カバーが前記開放位置から前記閉鎖位置に向かって前記中央軸線の回りで回転するときに、前記傾斜部に係合して前記傾斜部の前記第２の端部に向かって前記傾斜部に沿ってスライドすることを特徴とする請求項２に記載のカバー保持機構。
【請求項５】
前記受部の前記ストッパ部材は、前記受容部の前記傾斜部の前記第２の端部に隣接して配置された遠位側の先端部分を有していることを特徴とする請求項４に記載のカバー保持機構。
【請求項６】
前記傾斜部は、外側に配置された下端部および内側に配置された上端部を有していることを特徴とする請求項４に記載のカバー保持機構。
【請求項７】
前記受容部は、内壁および側壁を有し、
前記内壁は、前記傾斜部の第１の端部と前記側壁との間で延び、
前記内壁は、外側に配置された底端および内側に配置された上端を有し、
前記側壁は、前記ベースの外側縁部に隣接して配置された遠位端を有していることを特徴とする請求項４に記載のカバー保持機構。
【請求項８】
前記受部は、底部壁および側壁を有し、
前記底部壁は、前記ストッパ部材と前記側壁との間で延び、
前記側壁は、前記底部壁と前記ベースの外側表面との間で延びていることを特徴とする請求項１に記載のカバー保持機構。
【請求項９】
前記受部は、前記ベースの内側縁部に形成された開口と、前記ベースの外側縁部に形成された開口とを含むことを特徴とする請求項１に記載のカバー保持機構。
【請求項１０】
前記ロック部材の前記ラッチは、前記カバーが前記ベースに対し前記中央軸線の回りで前記閉鎖位置に向けて回転するときに、前記受容部と係合する傾斜面を有し、
前記ロック部材の前記第１の端部は、前記カバーが前記ハウジングに対して回転して前記ラッチの前記傾斜面が前記受容部に沿ってスライドするときに、前記中央軸線から半径方向外側に離れるように移動することを特徴とする請求項２に記載のカバー保持機構。
【請求項１１】
前記ロック部材の前記ラッチは、前記ラッチが前記受部の内側に配置されたときに前記受部の前記ストッパ部材と係合する係合面を有し、
これにより前記カバーが前記ベースに対して前記中央軸線の回りに前記閉鎖位置から前記開放位置へ回転することを防止することを特徴とする請求項１に記載のカバー保持機構。
【請求項１２】
前記ロック部材は、細長いアームを有していることを特徴とする請求項１に記載のカバー保持機構。
【請求項１３】
前記ロック部材の前記第１の端部は、凹所と先端とを有し、
前記凹所および前記先端は、前記ロック部材の前記第１の端部を格納位置から延出位置へ手動で移動することを容易にし、
前記ラッチは、前記ロック部材の前記第１の端部が前記延出位置にあるときに前記受部から取り外されることを特徴とする請求項１に記載のカバー保持機構。
【請求項１４】
前記ベースは、端部壁と、側壁と、前記側壁に取り付けられた枠とを有するハウジングを有することを特徴とする請求項１に記載のカバー保持機構。
【請求項１５】
中央軸線を有するベースに対してカバーを選択的に係止するためのカバー保持機構であって、
前記カバー保持機構は、
前記ベースに連結されるとともにストッパ部材を具備した受部を有するベースロックと、
前記カバーに連結されるとともに、第１の端部および第２の端部を具備する弾性的に柔軟な付勢部材、および前記付勢部材の前記第１の端部に連結されたラッチを有するカバーロックとを備え、
前記付勢部材の前記第１の端部は、前記ラッチが格納位置と延出位置との間で移動できるように前記付勢部材の前記第２の端部に対して手動で移動可能であり、
前記付勢部材は、前記ラッチを前記格納位置に向けて付勢し、
前記ラッチは、前記カバーが前記ベースに連結されるとともに前記ラッチが前記格納位置にあるときに、前記ベースロックの前記受部の内側に配置され、
前記カバーロックの前記ラッチが前記受部の内側に位置しているときに、前記ラッチは、前記ベースロックに係合し、前記カバーが前記ベースに対して前記中央軸線の回りに閉鎖位置から開放位置へ回転することを防止し、これにより前記カバーが前記ベースから取り外されることを防止し、
前記ラッチを前記ベースロックの前記受部から手動で取り外すと、前記カバーは、前記ベースに対して前記中央軸線の回りで閉鎖位置から開放位置へ回転することができることを特徴とするカバー保持機構。
【請求項１６】
前記付勢部材は、細長いアーム部材を有することを特徴とする請求項１５に記載のカバー保持機構。
【請求項１７】
前記カバーは側壁を有し、前記アーム部材は前記側壁に取り付けられていることを特徴とする請求項１６に記載のカバー保持機構。
【請求項１８】
前記ベースロックの前記受部は、ストッパ部材を有し、
前記カバーロックの前記ラッチは、前記受部の内側に配置されたときに前記ストッパ部材と係合し、前記カバーが前記ベースに対して前記中央軸線の回りに閉鎖位置から開放位置へ回転することを防止することを特徴とする請求項１５に記載のカバー保持機構。
【請求項１９】
ベースに対してカバーを選択的に係止するためのカバー保持機構であって、
前記カバー保持機構は、
受部および受容部を有するベースロックと、
第１の端部および第２の端部を具備した弾性的に柔軟なロック部材を有するカバーロックとを備え、
前記ロック部材は、前記ロック部材の前記第１の端部にラッチを有し、
前記ラッチは、格納位置と延出位置との間で移動可能であり、
前記ラッチは、前記カバーが閉鎖位置において前記ベースに連結されたときに、前記ベースロックの前記受部の内側に配置されて、前記カバーが前記ベースに対して閉鎖位置から開放位置へ回転することを防止し、
前記カバーは、前記ラッチが前記延出位置にあるときに、前記ベースに対して閉鎖位置から開放位置へと回転可能であり、
前記ラッチは、前記カバーが開放位置にあってかつ前記ラッチが前記格納位置にあるときに、前記ベースロックの受容部の内側に配置されて、前記カバーを前記ベースから取り外すことができることを特徴とするカバー保持機構。
【請求項２０】
前記ベースロックの前記受部は、ストッパ部材を有し、
前記カバーロックの前記ラッチは、前記ラッチが前記受部の内側に配置されたときに前記ストッパ部材と係合する係合面を有し、
前記受容部は、傾斜部を有し、
前記ラッチは、前記ラッチが前記受容部の内側に配置されるとともに前記カバーが前記ベースに対して前記開放位置から前記閉鎖位置へと回転したときに、前記傾斜部と係合することを特徴とする請求項１９に記載のカバー保持機構。